(57)【要約】      （修正有）【課題】シャツ類を透明な包装袋から取り出して折り畳まれたままハンガーに係止させて展示できる係止具を提供する。【解決手段】ハンガー用シャツ類の係止具は、ハンガーに係止する係止部２と、シャツ類の襟と襟台の間に差し込むフック部３とによって構成されており、前記係止部は、ハンガーのフックバーを挿入する透孔７を設けた天板４と該天板に連設した前板６とによって形成されている。また、フック部は前記前板の下端から上向きに突設されている。前記天板に設けた透孔は、天板の側端に開口するスリット８に連通する構成としてもよい。また、前板は正面において台形状に形成してもよい。【選択図】図１
0003160409.tif 000002
【実用新案登録請求の範囲】
【請求項１】
ハンガーに係止する係止部と、シャツ類の襟と襟台の間に差し込むフック部とかなり、前記係止部は、ハンガーのフックバーを挿入する透孔を設けた天板と前記天板に連設した前板とによって形成されており、フック部は前記前板の下端から上向きに突設されていることを特徴とするハンガー用シャツ類の係止具。
【請求項２】
天板に設けた透孔は、天板の側端に開口するスリットに連通していることを特徴とする請求項１に記載のハンガー用シャツ類の係止具。
【請求項３】
スリットは、前板に対して斜め方向に形成されていることを特徴とする請求項２に記載のハンガー用シャツ類の係止具。
【請求項４】
前板は正面において台形状に形成されていることを特徴とする請求項１〜３のいずれか１項に記載のハンガー用シャツ類の係止具。
【考案の詳細な説明】
【技術分野】
【０００１】
この考案は、襟付きシャツ類をハンガーに掛けて展示するのに好適なシャツ類の係止具にかかり、詳しくは包装袋から取り出し折り畳んだままの状態でハンガーに係止でき、その上から背広、ジャケット類も一緒に重ね掛けして展示できるハンガー用シャツ類の係止具に関するものである。
【背景技術】
【０００２】
従来、ワイシャツ、ポロシャツ等の襟付きシャツ類は、通常、所要の大きさに折り畳まれてビニール製等の透明な包装袋に収納され、メーカーやサイズごとに陳列棚に並べられたり、陳列台に積み重ねられて販売されている。そして、購入者は自分の持っている背広やジャケット類を思い浮かべながら、自分の好みやファッションとして合うものを購入している。
【０００３】
また、シャツ類を背広やジャケット類と組み合わせてコーディネートして、ハンガーに掛けて展示する場合がある。このように、ハンガーに掛けるためには、展示するシャツ類を包装袋から取り出し、折り畳み状態を解除した上でハンガーに掛けなければならない。襟付きシャツ類を収納された透明な包装袋から取り出し、そのまま折り畳んだ状態でハンガーに掛けて展示することができる係止具はなかった。
【考案の概要】
【考案が解決しようとする課題】
【０００４】
ハンガーに掛けて展示されたシャツ類を販売するときは、再度所要の大きさに折り畳んで透明な包装袋に収納しなければならないが、きれいに再包装することは困難であるばかりでなく、一度展示した商品は皺や汚れによって正規の値段では販売できなくなることがある。
【０００５】
このように、ハンガーに掛けて見本として展示するために、包装袋から取り出された襟付きシャツ類は、種類も複数になると共に、その数も多数になる。これらの包装袋から取り出されて展示されたシャツ類は、正規の値段では販売することができず、中古品のように処分しなければならない場合があり、コスト的にも損害を受けることになる。
【０００６】
そこで、この考案は、襟付きシャツ類を包装袋から取り出し、その折り畳んだ状態のままハンガーに係止させて、展示させることができるハンガー用シャツ類の係止具を提供することを目的とする。
【課題を解決するための手段】
【０００７】
この考案は上記目的を達成するために次のような構成とした。即ち、この考案に係るハンガー用シャツ類の係止具は、ハンガーに係止する係止部と、シャツ類の襟と襟台の間に差し込むフック部とかなる。前記係止部は、ハンガーのフックバーを挿入する透孔を設けた天板と前記天板に連設した前板とによって形成されている。フック部は前記前板の下端から上向きに突設されていることを特徴とする。
【０００８】
前記天板に設けた透孔は、独立して閉じた透孔であってもよいが、天板の側端に開口するスリットに連通する構成としてもよい。前記スリットは、前板と平行であってもよいし、前板に対して斜め方向に形成してもよい。また、前板は正面において台形状に形成することが好ましい。
【考案の効果】
【０００９】
この考案に係るハンガー用シャツ類の係止具は、包装袋から取り出して折り畳んだままハンガーに係止させて展示することができると共に、同じハンガーに背広やジャケット類を重ねて掛けることができる。従って、シャツ類のデザイン性を強調した展示をすることができる。また、フック部をシャツ類の襟部を形成する襟台と襟の間に差し込んで係止させるものであるから、フック部を容易に差し込んだり取り外したりすることができ、展示するシャツ類を容易に取り替えることができる。シャツ類を容易に取り替えることによって、背広やジャケットとの組み合わせによるコーディネートをすることができる。また、シャツ類を包装袋から取り出して折り畳んだままハンガーに掛けて展示することができるから、ハンガーから外せばそのまま包装袋に再度収納することができるので、商品として販売することが可能であり無駄を省くことができる。
【図面の簡単な説明】
【００１０】
【図１】図１は第１実施形態にかかる係止具の上面斜視図である。
【図２】図２は同じく平面図である。
【図３】図３は、第２実施形態にかかる係止具の上面斜視図である。
【図４】図４は、第３実施形態にかかる係止具の断面図である。
【図５】図５は、第４実施形態にかかる係止具の斜視図である。
【図６】図６は、係止具をハンガーに装着した状態の断面図である。
【図７】図７は、折り畳んだシャツをハンガーに係止した状態の正面図である。
【図８】図８は、ハンガーに係止したシャツに背広を掛けた状態の正面図である。
【図９】図９は、図８の要部拡大斜視図である。
【図１０】図１０は、透明な包装袋に入れたシャツの説明用正面図である。
【考案を実施するための形態】
【００１１】
以下に、本考案の実施形態について説明する。図１は、第１実施形態に係る係止具の斜視図であって、係止具本体１は、ハンガーの中央部の首部に装着する断面逆Ｌ字状係止部２と襟に係止するフック部３とを一体に形成してなる。
【００１２】
さらに、詳述すると、前記係止部２は、平面長方形状の天板４と前記天板４に連設された前板６によって形成されている。前記天板４にはハンガーのフックを挿入する透孔７が穿設されており、前記透孔７は天板４の側端に開口するスリット８に連通している。
【００１３】
係止具本体１の係止部２にハンガー本体を水平方向から挿入すると共に、前記スリット８にハンガーのフックの根元を差し込むことによって容易にハンガーに装着することができる。前記スリット８は、図示する実施形態ではハンガーのフックを抜け難くするために、前板に対して斜め方向に形成されているが、前板６と平行に形成してもよい。
【００１４】
前記前板６は、末広がりに拡大した台形状に形成されている。前板６の下端部の長さ寸法は、天板４の長さ寸法に対して２〜４倍とすることができる。前板６の下端部の長さを天板の長さよりも長くすることによって、連設するフック部の変形を小さくすることができる。
【００１５】
また、前記係止具本体１を構成するフック部３は、前板６の下端部に所定の角度をもって上向きに突設された係止板３Ａによって形成されている。係止板３Ａは、シャツ類の襟部を構成する襟と襟台との間に差し込んでシャツ類を係止するものであるから、前板６との角度が９０度より小さい角度で上向きに突設されていることが必要であり、例えば、３０〜７０度とすることができる。
【００１６】
前記係止板３Ａは、図１に示すように、シャツ類の衿部の湾曲に合わせてアール面とすることが好ましい。係止板３Ａをアール面に形成することによって、シャツ類の襟部のアールに沿って係止されるから型崩れすることがない。係止板３Ａのアール面は、先端側のみに形成してもよいが、前板６との連設部分も含めて係止板全体をアール面としてもよい。
【００１７】
図３は、この考案の第２実施形態を示す。第１実施形態と同様な構成については同一符号を付してその説明は省略する。この実施形態では、透孔７は独立しており連通するスリットは設けられていない。このように、透孔７をスリットと連通することなく独立して形成した場合には、ハンガーのフック先端を透孔７に挿入してスライドさせた後、ハンガーの首部を係止部２に嵌合させればよい。
【００１８】
係止板３Ｂは、湾曲することなく水平面の板状に形成されており、前板６側の内側面（上面）には滑り止め部材９が貼着されている。前記滑り止め部材９は、布、スポンジ、ゴム、樹脂等の係止板３Ｂを形成する材質より摩擦係数の大きいものであればよい。なお、前記滑り止め部材９は省略することが可能である。また、係止板３Ｂは、係止板３Ａと同様に全体をアール面としてもよい。
【００１９】
図４は、この考案の第３実施形態を示す。第１実施形態と同様な構成については同一符号を付してその説明は省略する。この実施形態では、天板４が装着するハンガーの上面形状に合わせて幅方向に湾曲して形成されており、係止板３Ｃの先端部に抜け止め用の突出部３bが設けられている。  抜け止め用突出部３ｂは係止板３Ｃの先端を折り曲げることによって形成されている。
【００２０】
第３実施形態のように、天板４を湾曲面とすることによって係止部２がハンガーにより密着してガタが少なくなるから安定した嵌合状態を保持するができる。ハンガーとの係止状態が安定することによって、シャツ類の係止状態も安定し移動の際等にも脱落する恐れが少なくなる。
【００２１】
図５は、この考案の第４実施形態を示す。第１実施形態と同様な構成については同一符号を付してその説明は省略する。この実施形態では、フック部３は全体が一体に形成された係止板ではなく、前板６の両端下端から突設された細板状の係止部材３Ｄ、３Ｄによって形成されている。前記係止部材３Ｄ，３Ｄのように、フック部３を複数に分割して形成した場合には、襟部への挿入が容易である。
【００２２】
上記構成の係止具本体１をハンガーへ装着した場合を説明すると、図６に示すように、天板４の透孔７にハンガーＨのフックバーＨ１が挿入すると共に、頭部Ｈ２が係止部２に嵌合することによって装着することができる。透孔７へのフックバーＨ１の挿入は、図１に示す実施形態のようにスリットと連通している場合には、水平方向にスライドさせながら、スリットにフックバーＨ１を挿入し、同時に係止部２に頭部Ｈ２を嵌合すればよい。
【００２３】
また、スリットと連通していない独立した透孔７の場合には、フックＨ１の先端を透孔７に挿入した後、頭部Ｈ２までスライドさせて係止部２に頭部Ｈ２を当接すればよい。
【００２４】
さらに、係止具本体１の使用方法について説明すると、この考案に使用される襟付きシャツ類Ｓは、図１０に示すように、所要の大きさに折り畳まれてビニール製等の透明な包装袋Ｆに入れられている。包装袋に入れられたシャツ類を展示するには、シャツを包装袋Ｆから取り出す。そして、図６のように、ハンガーＨに装着された係止具本体１のフック部３を、取り出されて折り畳まれたままのシャツの背面から、襟部の襟台と襟との間に差し込んで係止すればよい。折り畳んだままのシャツ類をハンガーに掛けた状態で展示することができる（図７参照）。
【００２５】
そして、シャツ類はハンガーＨの前側に係止されることになるから、ハンガーには通常と同様に背広やジャケットを掛けることができる。図８及び図９に示すように、シャツ類と背広等を重ね掛けして展示することができる。
【００２６】
背広等はもちろん、シャツ類は簡単に着脱することができるから、シャツ類と背広等の一方を適宜取り替えながらコーディネートすることができる。
【００２７】
また、シャツ類は包装袋から取り出して折り畳んだ状態のまま展示することができるので、シャツ類をハンガーに装着された係止具本体から取り外せば、そのまま包装袋に再度収納することができ、製品としてそのまま販売することができ、折り畳む手間が省けるばかりでなく商品ロスを無くすことができる。
【符号の説明】
【００２８】
１：係止具本体
２：係止部
３：フック部
４：天板
６：前板
７：透孔
【図１】
0003160409.tif 000003
【図２】
0003160409.tif 000004
【図３】
0003160409.tif 000005
【図４】
0003160409.tif 000006
【図５】
0003160409.tif 000007
【図６】
0003160409.tif 000008
【図７】
0003160409.tif 000009
【図８】
0003160409.tif 000010
【図９】
0003160409.tif 000011
【図１０】
0003160409.tif 000012